(57)【特許請求の範囲】
【請求項１】
道路境界に面した出入り口部分の屋外土間の高さと、屋内の玄関ホールに隣接する玄関土間の高さとの間に複数段の階段による高低差がある住宅に設けられる階段付き玄関であって、
前記階段付き玄関は、玄関ドアを備える玄関出入り口よりも屋内側に配置された、下方土間部と上方土間部とこれらの間に介在する階段部とからなり、
前記下方土間部は、前記道路境界に面した出入り口部分の屋外土間の高さに設けられて該屋外土間から出入り可能となっており、前記上方土間部は、前記屋内の玄関ホールに隣接する玄関土間を構成していることを特徴とする階段付き玄関。
【請求項２】
少なくとも前記階段部及び前記上方土間部に沿った壁面には、手摺が設けられている請求項１記載の階段付き玄関。
【請求項３】
前記下方土間部の壁面から出し入れ可能な床下物入れが床下空間を用いて設けられている請求項１又は２に記載の階段付き玄関。
【請求項４】
前記下方土間部と前記上方土間部との間を接続するスロープが前記階段部に隣接して設けられている請求項１〜３のいずれかに記載の階段付き玄関。
【発明の詳細な説明】
【０００１】
【発明の属する技術分野】
本発明は階段付き玄関に関し、特に道路境界に面した出入り口部分の屋外土間の高さと、屋内の玄関ホールに隣接する玄関土間の高さとの間に相当の高低差がある住宅に設けられる階段付き玄関に関する。
【０００２】
【従来の技術及び発明が解決しようとする課題】
例えば勾配のある道路に面した狭小な敷地や道路よりも高い狭小な敷地に建てられる住宅においては、道路境界に面した出入り口部分の敷地に設けられる屋外土間と、住宅用の建物が構築される本体敷地との間に相当の高低差を有している場合がある。このような高低差のある敷地に建てられる住宅の場合、図４に示すように、道路境界５０に面した出入り口部分の屋外土間５１から本体敷地５２に上がる屋外階段５３を設置し、本体敷地５２に設けられたポーチ部５４から屋内の玄関ホール５６に隣接する玄関５７の玄関土間５５に出入りする構造が採用されていた。
【０００３】
しかしながら、このような高低差のある敷地に設けられた従来の玄関５７によれば、出入り口部分の屋外土間５１から屋外階段５３を介してポーチ部５４に至る屋外通路５８は、敷地を有効活用するべく道路境界５０に沿って狭い幅で設けられる場合が多いため、特に雨天時等においては、歩行しづらいという課題があった。すなわち、濡れた屋外通路の歩行は滑り易く、また傘をさしながらの歩行は、屋外通路５８の幅いっぱいに傘を拡げることになって余裕がなくなったり建物の外壁面に傘をぶつけたりすることになると共に、人がすれ違う場合には、いずれか一方の人が傘を閉じたり、傘を傾けて歩行しなければならず、雨に濡れることなく玄関５８と屋外土間５１との間をスムーズに移動することが困難だった。
【０００４】
また、脚の悪い人や車椅子の人は、身支度をして玄関５７から屋外に出た後に屋外階段５３を通過しなければならないため、外出に手間取ると共に、外出から帰った際には屋内領域である玄関５７にスムーズに入ることが出来ないため、帰宅しても屋内に入って安心した気持ちになるまでに相当の時間を要していた。
【０００５】
本発明は、このような従来の課題に着目してなされたもので、雨天時においても高低差のある玄関土間と出入り口部分の屋外土間との間をスムーズに移動することを可能にすると共に、脚の悪い人や車椅子の人も外出や帰宅をスムーズに行うことを可能にする階段付き玄関を提供することを目的とする。
【０００６】
【課題を解決するための手段】
本発明は、道路境界に面した出入り口部分の屋外土間の高さと、屋内の玄関ホールに隣接する玄関土間の高さとの間に複数段の階段による高低差がある住宅に設けられる階段付き玄関であって、前記階段付き玄関は、玄関ドアを備える玄関出入り口よりも屋内側に配置された、下方土間部と上方土間部とこれらの間に介在する階段部とからなり、前記下方土間部は、前記道路境界に面した出入り口部分の屋外土間の高さに設けられて該屋外土間から出入り可能となっており、前記上方土間部は、前記屋内の玄関ホールに隣接する玄関土間を構成していることを特徴とする階段付き玄関を提供することにより、上記目的を達成したものである（請求項１記載の発明）。
【０００７】
また、本発明の階段付き玄関によれば、少なくとも前記階段部及び前記上方土間部に沿った壁面には、手摺が設けられていることが好ましい（請求項２記載の発明）。
【０００８】
さらに、本発明の階段付き玄関によれば、前記下方土間部の壁面から出し入れ可能な床下物入れが床下空間を用いて設けられていることが好ましい（請求項３記載の発明）。
【０００９】
さらにまた、本発明の階段付き玄関によれば、前記下方土間部と前記上方土間部との間を接続するスロープが前記階段部に隣接して設けられていることが好ましい（請求項４記載の発明）。
【００１０】
【発明の実施の形態】
以下本発明の好ましい実施形態を添付図面を参照しつつ詳細に説明する。図１に示す本発明の第１実施形態に係る階段付き玄関１０は、例えば勾配のある道路の北側に隣接していることにより、道路境界１２に面した出入り口部分の屋外土間１１と、住宅用の建物が構築される本体敷地１３との間に相当の高低差を有している狭小な敷地に建てられる住宅１４の玄関部を構成するものである。また、本第１実施形態によれば、狭小な敷地を有効に利用して効率良く住宅１４を設けるべく、住宅１４の外壁１５と道路境界１２との間の屋外敷地は、道路境界１２に沿った幅の狭い帯状の領域となっている。
【００１１】
そして、本第１実施形態によれば、住宅１４は、その本体居室部分が本体敷地１３に建てられていることにより、階段付き玄関１０が設けられた当該住宅１４は、南側の道路境界１２に面した出入り口部分の屋外土間１１の高さと、屋内の玄関ホール１６に隣接する玄関土間１７の高さとの間に複数段（４段）の階段による高低差を有している。
【００１２】
また、本第１実施形態によれば、階段付き玄関１０は、玄関ドアを備える玄関出入り口２１よりも屋内側に配置された、下方土間部１８と上方土間部１９とこれらの間に介在する階段部２０とからなり、下方土間部１８は上記出入り口部分の屋外土間１１の高さと同じ高さでに設けられて当該屋外土間１１から出入り可能となっており、上方土間部１９は上記玄関ホール１６に隣接する玄関土間１７を構成している。
【００１３】
階段付き玄関１０を構成する下方土間部１８は、縦（南北方向）１８０ｃｍ、横（東西方向）１４０ｃｍ程度の大きさの矩形の平面形状を有する土間部であって、南側の面に住宅１４の外壁１５に形成される玄関ドアを備える玄関出入り口２１が設けられていると共に、北側及び東側の面が、住宅１４の屋内の居室部２２との間の仕切壁２３によって区画されている。また、下方土間部１８は、屋外土間１１及びこれの西側に連続する玄関ポーチ２４の土間と同じ高さとなるように形成されていることにより、下方土間部１８と屋外土間１１との間を、段差部のないバリアフリーな通路として移動できるようになっている。そして、下方土間部１８の西側に隣接して、階段部２０が設けられている。
【００１４】
階段付き玄関１０を構成する階段部２０は、２０ｃｍ程度の段差で配置された２５ｃｍ程度の幅の３段の踏み面２５を有し、従って上方土間部１９と共に４段の階段を構成している。そして、８０ｃｍ程度の高低差を有する上方土間部１９と下方土間部１８との間を上り下り可能に接続している。
【００１５】
階段付き玄関１０を構成する上方土間部１９は、階段部２０の西側に隣接する縦（南北方向）１８０ｃｍ、横（東西方向）１４０ｃｍ程度の大きさの矩形の平面形状を有する土間部であって、その西側部分は２０ｃｍ程度の段差を介して玄関ホール１６に出入り可能に接続している。また上方土間部１９の北側の面は、階段部２０の北側の面と共に、下方土間部１８の仕切壁２３と連続する仕切壁２３によって居室部２２から区画されており、上方土間部１９の南側の面は、階段部２０の南側の面と共に、住宅１４の外壁１５によって屋外領域から区画されている。さらに上方土間部１９の北側部分には、仕切壁２３に沿って下駄箱２６が設けられ、玄関ホール１６から上方土間部１９及び階段部２０に沿った外壁１５の内側面には、手摺２７が設けられている。
【００１６】
なお、本第１実施形態によれば、屋外土間１１の東側及び玄関ポーチ２４の西側には、相当の高低差を有する屋外土間１１及び玄関ポーチ２４と本体敷地１３との段差部分を区画する土留壁２８が設けられている。
【００１７】
そして、本第１実施形態の階段付き玄関１０によれば、雨天時においても高低差のある玄関土間１７と出入り口部分の屋外土間１１との間をスムーズに移動することができると共に、脚の悪い人や車椅子の人も外出や帰宅をスムーズに行うことができる。すなわち、階段付き玄関１０は、屋内に配置された下方土間部１８と上方土間部１９とこれらの間に介在する階段部２０とからなるので、１階居室部２２から外出しようとする人は、屋内の階段部２０を介して屋外土間１１と同じ高さの下方土間部１８に至った後に、玄関ポーチ２４及び屋外土間１１を介して道路に出て行くことができ、また外出から帰宅した人は、屋外土間１１と同じ高さの下方土間部１８に至った後に、屋内の階段部２０を介して居室部２２に行くことができるので、雨天時においても、滑りやすく狭い屋外階段を傘を差したまま上り下りする必要がなく、玄関土間１７と屋外土間１１との間をスムーズに移動することが可能になる。
【００１８】
また、脚の悪い人や車椅子の人は、屋内の階段部２０を介して下方土間部１８に至った後、屋外階段を下りることなく同じ高さの屋外土間１１から外出することができ、また帰宅する際には、屋外土間１１から屋外階段を介することなく同じ高さの下方土間部１８に至って容易に屋内の領域に立ち入ることができるので、外出や帰宅をスムーズに行うことが可能になる。
【００１９】
さらに、本第１実施形態の階段付き玄関１０によれば、玄関１０の内部の空間が立体的に拡がることになって、目線の変化を楽しむことが可能になる。
【００２０】
さらにまた、本第１実施形態の階段付き玄関１０によれば、玄関ホール１６から上方土間部１９及び階段部２０に沿った外壁１５の内側面には、手摺２７が設けられているので、特に脚の悪い人や高齢者は、外出したり帰宅する際に、階段付き玄関１０の上り下りをしやすくなる。
【００２１】
図２は、本発明の第２実施形態に係る階段付き玄関３０を示すものである。本第２実施形態の階段付き玄関は、上記第１実施形態の階段付き玄関１０と略同様の構成を有する他、下方土間部１８の周囲に位置する１階居室部２２の床下空間には床下物入れ３１が設けられ、この床下物入れ３１には、下方土間部１８の仕切壁２３の壁面に設けられた開閉扉３２を介して例えば屋外用物品等を出し入れ可能となっている。また、玄関ポーチ２４の西側に隣接して、住宅１４の外壁１５と道路境界１２との間の屋外敷地には、引き戸３４を開閉して道路から収納可能な自転車置場３３が設けられている。
【００２２】
本第２実施形態の階段付き玄関３０によっても、上記第１実施形態の階段付き玄関１０と略同様の作用効果を奏すると共に、本第２実施形態によれば、下方土間部１８と１階居室部２２の床との高低差を有効利用して、床下空間に床下物入れ３１を設けることにより、狭小な敷地に収納用のスペースを効率良く配置することが可能になると共に、自転車専用のスペースを確保することが可能になる。
【００２３】
図３は、本発明の第３実施形態に係る階段付き玄関４０を示すものである。本第３実施形態の階段付き玄関４０は、上記第１実施形態の階段付き玄関１０と略同様の構成を有する他、階段付き玄関４０を構成する下方土間部４１、上方土間部４２、及び階段部４３は、上記第１実施形態のものよりも南北方向に幅広に設けられており、且つ下方土間部４１と上方土間部４２との間を接続するスロープ４４が階段部４３の北側に隣接して設けられている。また、玄関ポーチ２４は、屋外土間１１の東側に連続して設けられ、この玄関ポーチ２４から玄関出入り口２１を介して下方土間部４１に立ち入ることが出来るようになっている。
【００２４】
本第３実施形態の階段付き玄関４０によっても、上記第１実施形態の階段付き玄関１０と略同様の作用効果を奏すると共に、本第３実施形態によれば、階段部４３に隣接してスロープ４４が設けられていることにより、特に車椅子の人にとっては、さらに安全且つ容易に下方土間部４１と上方土間部４２との間を移動することが可能になる。
【００２５】
なお、本発明の階段付き玄関は、上記各実施形態に限定されることなく種々の変更が可能である。例えば、住宅が設けられる敷地は狭小な敷地である必要は必ずしもなく、また屋外土間に隣接して玄関ポーチを設ける必要は必ずしもない。さらに屋外土間を玄関ポーチの土間部とすることもできる。また、階段付き玄関は住宅の南側に設けられる必要は必ずしもなく、道路境界との関係で他の方向を向けて設けても良い。さらに、第１実施形態に第２実施形態及び第３実施形態の構成要件を加えて本発明の階段付き玄関とすることもできる。
【００２６】
【発明の効果】
以上詳細に説明したように、本発明の階段付き玄関によれば、雨天時においても高低差のある玄関土間と出入り口部分の屋外土間との間をスムーズに移動することができると共に、脚の悪い人や車椅子の人も外出や帰宅をスムーズに行うことができる。
【図面の簡単な説明】
【図１】本発明の第１実施形態に係る階段付き玄関を示す平面図である。
【図２】本発明の第２実施形態に係る階段付き玄関を示す平面図である。
【図３】本発明の第３実施形態に係る階段付き玄関を示す平面図である。
【図４】従来の階段付き玄関を示す平面図である。
【符号の説明】
１０，３０，４０  階段付き玄関
１１  屋外土間
１２  道路境界
１３  本体敷地
１４  住宅
１５  外壁
１６  玄関ホール
１７  玄関土間
１８，４１  下方土間部
１９，４２  上方土間部
２０，４３  階段部
２２  居室部
２３  仕切壁
２７  手摺
３１  床下物入れ
３３  自転車置場
４４  スロープ
【図１】
0003996382.tif 000002
【図２】
0003996382.tif 000003
【図３】
0003996382.tif 000004
【図４】
0003996382.tif 000005